(57)【要約】      （修正有）【課題】直流の陰極及び破損、劣化、磨耗性に劣る樹脂製の脱水濾布を排除し、また脱水効率の低い直流電気浸透印加電源を効率の高い三相交流電気浸透印加電源に変えるものである。【解決手段】脱水物を電気浸透脱水させる電極ローラー或いはその脱水面を電極ローラー軸方向に絶縁させて三分割させ、その絶縁三分割される脱水面７或いは電極面の各々に三相交流電源（ＲＳＴ）の単相帰還電源各々（Ｒ）（Ｓ）（Ｔ）を半導体に接続させ、また電極ローラーに緊張されて構成される通電、脱水、屈曲自在を可能とする金属製の無限軌道通電濾帯３、無限軌道回転間隙を形成させる無限軌道電通帯に半導体を備えて三相交流電源の単相帰還電源各々を帰還させる三相交流電気浸透印加電力回路を備えて三相交流電気浸透方式或いは装置を構成させている。【選択図】図５
2005199247.tif 000002
【特許請求の範囲】
【請求項１】
複数或いは一対の通電、回転を可能とする電極ローラー（１）に緊張（２）されて構成される通電、脱水、屈曲自在を可能とする金属製或いは繊維の無限軌道通電濾帯（３）の無限軌道回転接合間隙（４）一方に脱水物（５）を回転供給させ、上記脱水物を脱水させる上記電極ローラー或いはその脱水面を軸方向絶縁（６）に三分割し、その絶縁三分割される脱水面（７）各々に三相交流電源（ＲＳＴ）の単相帰還電源各々（Ｒ）（Ｓ）（Ｔ）を接続させて構成させる三相交流電気浸透脱水方式或いは装置。
【請求項２】
請求項１に記載の三相交流電気浸透脱水方式或いは装置に有って、三相交流電源（ＲＳＴ）の単相帰還電源各々（Ｒ）（Ｓ）（Ｔ）に半導体を備え、無限軌道通電濾帯（３）に各々半導体を備える上記単相帰還電源各々の帰還回路を備えて構成させる三相交流電気浸透脱水方式或いは装置。
【請求項３】
請求項２に記載の三相交流電気浸透脱水方式或いは装置に有って、三相交流電源（ＲＳＴ）の単相帰還電源各々（Ｒ）（Ｓ）（Ｔ）を同様無限軌道通電濾帯（３）に接続し、絶縁三分割される脱水面（７）各々に同様の上記単相帰還電源各々の帰還回路を備えて構成させる三相交流電気浸透脱水方式或いは装置。
【請求項４】
請求項１、２、３に記載の三相交流電気浸透脱水方式或いは装置に有って、絶縁三分割される脱水面（７）各々に着脱可能な交換電極ライナー（８）を備えさせて構成させる三相交流電気浸透脱水方式或いは装置。
【発明の詳細な説明】
【技術分野】
【０００１】  本発明は、三相交流電気浸透脱水方式及び装置に関する。
【背景技術】
【０００２】  従来の電気浸透式脱水方式及び装置には、整流された直流電源を用いるもの、また樹脂製の脱水濾布を使用するものが多く、その運転維持管理経費及び濾布の交換、運転維持管理等に不合理、不経済な課題を抱えていた。
【発明の開示】
【発明が解決しようとする課題】
【０００３】  以上に述べた従来の電気浸透脱水方式及び装置では、電気浸透印加電力に交流電源を整流し用いる直流電源と樹脂製の脱水濾布を使用しているために脱水処理施設の運転維持費及び運転維持管理に負担と圧迫の不経済性を強いている。【０００４】本発明は、従来の電気浸透脱水方式及び装置に関わる課題の解決を目的とし、破損、劣化、磨耗性に劣る樹脂製の脱水濾布を排除し、また脱水効率の低い直流電気浸透印加電源を効率の高い三相交流電気浸透印加電源に変えるものである。
【課題を解決するための手段】
【０００５】  そして、本発明は上記目的を達成するために脱水物（５）を電気浸透脱水させる電極ローラー（１）或いはその脱水面を電極ローラー軸方向に絶縁（６）させて三分割させ、その絶縁三分割される脱水面（７）或いは電極面の各々に三相交流電源（ＲＳＴ）の単相帰還電源各々（Ｒ）（Ｓ）（Ｔ）を半導体に接続させて通電させ、また電極ローラーに緊張（２）されて構成される通電、脱水、屈曲自在を可能とする金属製の無限軌道通電濾帯（３）を備え、無限軌道回転間隙（４）を形成させる無限軌道電通帯に半導体を備え介して三相交流電源の単相帰還電源各々帰還させる三相交流電気浸透印加電力回路（図５）を備えて三相交流電気浸透方式或いは装置を構成させている。また金属製の無限軌道通電濾帯（３）を用い従来の直流陰極及び不経済な樹脂製の脱水濾布を排除させている。
【発明の効果】
【０００６】  上述したように本発明の三相交流電気浸透脱水方式及び装置は、三相交流電源を直接電気浸透印加電力に用いることで脱水効率と経済性に優れる。【０００７】  また直流の陰極及び樹脂製の脱水濾布を排除させることで運転維持管理、運転維持費等を低減させる。
【発明の実施するための最良の形態】
【０００８】  以下、本発明の実施の形態を図１から図６に基づいて説明する。
【０００９】  図において１は通電、緊張可能な電極ローラー、３は通電、脱水を可能とする屈曲自在な金属製の無限軌道通電濾帯、１の電極ドラムを所定なフレームに絶縁させて支持させ、緊張と回転駆動を可能にさせる
【００１０】  ４は電極ドラムと無限軌道通電濾帯に形成される無限軌道回転接合部であり、５の脱水物を回転供給させて狭窄脱水させる脱水機構である。また電気浸透脱水における電気浸透電力の印加電極面を兼ね、狭窄脱水に加え電気浸透脱水を同時に機能させる脱水機構でも有る。脱水物の供給及び排出手段は自由に選択する。
【００１１】  ７は電極ローラーの脱水面或いは電気浸透脱水の電極面で、電極ローラーの電極面をその軸方向に絶縁三分割させた分割電極面である。８はその電極面の着脱交換用ライナー電極で、三分割された電極面其々に三相交流電源（ＲＳＴ）の単相帰還電源各々を接触或いは回転接続させて通電し、其々に短絡（ショート）防止の半導体を備える。また６は三分割電極間を軸方向に絶縁、分割させる絶縁手段である。
【００１２】  一方、脱水物を介し三分割電極面から印加される三相交流電源の単相帰還電流を無限軌道通電濾帯に経由させ、一方の電極ドラムより同様に半導体を介し短絡を防止させて帰還させる回路を備えて三相交流電気浸透回路を構成させる。
【００１３】  また脱水物に対する三相交流電源の単相帰還電力或いは電気浸透印加電力は、その方向性を変えて印加或いは電気浸透脱水作用を働かせてもよい、単相帰還電源各々に逆流防止の半導体を備えて無限軌道通電濾帯に通電し、脱水物及び各々の分割電極面を経緯させて帰還させる三相交流電源の電気浸透電力回路を備えて構成させる三相交流電気浸透脱水方式或いは装置である。
【図面の簡単な説明】
【００１４】
【図１】実施形態を示す一対の電極ドラムと無限軌道電通濾帯の配置図
【図２】実施形態を示す一対の電極ドラムと無限軌道電通濾帯の構成図
【図３】着脱ライナー電極、無限軌道回転接合間隙、脱水物の供給、排出図
【図４】絶縁分割電極ローラー、絶縁三分割電極ローラーの構成図
【図５】三相交流電気浸透電力回路の構成図
【図６】三相交流電気浸透電力回路の構成図（逆流印加回路構成図）
【符号の説明】
【００１５】        １      一対の通電、回転を可能とする電極ローラー
２      緊張手段
３      通電、屈曲自在を可能とする金属製の無限軌道通電濾帯
４      無限軌道回転接合間隙
５      脱水物
６      脱水面或いは電極面の軸方向絶縁手段
７      絶縁三分割される脱水面或いは電極面
８      着脱可能な交換電極ライナー
ＲＳＴ  三相交流電源の単相帰還電源各々
【図１】
2005199247.tif 000003
【図２】
2005199247.tif 000004
【図３】
2005199247.tif 000005
【図４】
2005199247.tif 000006
【図５】
2005199247.tif 000007
【図６】
2005199247.tif 000008
【手続補正書】
【提出日】平成16年3月4日(2004.3.4)
【手続補正１】
【補正対象書類名】特許請求の範囲
【補正対象項目名】全文
【補正方法】変更
【補正の内容】
【特許請求の範囲】
【請求項１】
複数或いは一対の通電、回転を可能とする電極ローラー（１）に緊張（２）されて構成される通電、脱水、屈曲自在を可能とする金属製或いは繊維の無限軌道通電濾帯（３）の無限軌道回転接合間隙（４）一方に脱水物（５）を回転供給させ、上記脱水物を脱水させる上記電極ローラー或いはその脱水面を軸回転方向全周に絶縁（６）させて三分割し、その絶縁三分割される脱水面（７）各々に三相交流電源（ＲＳＴ）の単相帰還電源各々（Ｒ）（Ｓ）（Ｔ）を接続させて構成させる三相交流電気浸透脱水方式或いは装置。
【請求項２】
請求項１に記載の三相交流電気浸透脱水方式或いは装置に有って、三相交流電源（ＲＳＴ）の単相帰還電源各々（Ｒ）（Ｓ）（Ｔ）に半導体を備え、無限軌道通電濾帯（３）に各々半導体を備える上記単相帰還電源各々の帰還回路を備えて構成させる三相交流電気浸透脱水方式或いは装置。
【請求項３】
請求項２に記載の三相交流電気浸透脱水方式或いは装置に有って、三相交流電源（ＲＳＴ）の単相帰還電源各々（Ｒ）（Ｓ）（Ｔ）を同様無限軌道通電濾帯（３）に接続し、絶縁三分割される脱水面（７）各々に同様の上記単相帰還電源各々の帰還回路を備えて構成させる三相交流電気浸透脱水方式或いは装置。
【請求項４】
請求項１、２、３に記載の三相交流電気浸透脱水方式或いは装置に有って、絶縁三分割される脱水面（７）各々に着脱可能な交換電極ライナー（８）を備えさせて構成させる三相交流電気浸透脱水方式或いは装置。
【請求項５】
請求項１、２、３、４に記載する脱水面（７）を軸回転方向全周に絶縁させて三分割させる電極ローラー（１）に有って、その脱水面（７）を軸方向に絶縁させて三分割し、その分割される各々に三相交流電源の単相帰還電源各々（Ｒ）（Ｓ）（Ｔ）を接続させて構成させる三相交流電気浸透脱水方式或いは装置。
【請求項６】
請求項１、２、３、４、５、に記載する無限軌道通電濾帯（３）に有って、其々に絶縁されて三分割される電極ローラー（１）の回転外周面に上記無限軌道通電濾帯の無限軌道回転外周面を外接させて配置し、備えて構成させる三相交流電気浸透脱水方式或いは装置。
【請求項７】
請求項６に記載の三相交流電気浸透脱水方式或いは装置に有って、無限軌道通電濾帯（３）と三分割される電極ローラー（１）の間に一重或いは二重、また無限回転軌道或いは両端を開放する脱水濾帯を配置し備えて構成させる三相交流電気浸透脱水方式或いは装置。
【請求項８】
請求項１、２、３、４、５、６、７に記載の三相交流電気浸透脱水方式或いは装置に有って、無限軌道通電濾帯（３）或いは脱水濾帯の回転軌道上に空気或いは水の洗浄手段及び掻取清掃手段を備えて構成させる三相交流電気浸透脱水方式或いは装置。
【請求項９】
請求項１、２、３、４、５、６、７、８に記載の無限軌道通電濾帯（３）に有って、その無限軌道通電濾帯をその回転方向平行に全周を三分割し、絶縁させて三相交流電源の単相帰還電流各々を電極ローラー（１）に経由させ、三分割する上記無限軌道通電濾帯各々に通電させて構成する三相交流電気浸透脱水方式或いは装置。